(57)【特許請求の範囲】
【請求項１】
機器の動作を指示するデータを送信するためのデータ送信動作、前記機器からの応答確認を受信するための応答確認受信動作、前記機器の状態を示すデータを受信するためのデータ受信動作を実行する通信部と、
前記通信部に対して、前記データ送信動作、前記応答確認受信動作、前記データ受信動作、停止状態を切りかえさせる制御部とを備え、
前記制御部は、前記データ送信動作によりデータが送信された後、前記データ送信動作を前記応答確認受信動作に切りかえて、応答確認受信動作の期間にわたって、確認応答の受信を待ち受けさせ、
前記制御部は、（ｉ）前記応答確認受信動作の期間において確認応答を受信しない場合、前記応答確認受信動作を前記停止状態に切りかえ、（ｉｉ）前記応答確認受信動作の期間において確認応答を受信した場合、前記応答確認受信動作を前記データ受信動作に切りかえて、前記応答確認受信動作の期間の後に連続して設けられるデータ受信動作の期間にわたって、データの受信を待ち受けさせ、
前記通信部は、前記データ受信動作を間欠動作によって実行し、
前記通信部は、前記データ送信動作の際に、間欠受信の制御内容に関する情報をデータに付随して送信することを特徴とする無線装置。
【請求項２】
動作を指示するデータを送信するためのデータ送信動作、機器からの応答確認を受信するための応答確認受信動作、応答メッセージを示すデータを受信するためのデータ受信動作を実行する通信部と、
前記通信部に対して、前記データ送信動作、前記応答確認受信動作、前記データ受信動作、停止状態を切りかえさせる制御部とを備え、
前記制御部は、前記データ送信動作によりデータが送信された後、前記データ送信動作を前記応答確認受信動作に切りかえて、応答確認受信動作の期間にわたって、確認応答の受信を待ち受けさせ、
前記制御部は、（ｉ）前記応答確認受信動作の期間において確認応答を受信しない場合、前記応答確認受信動作を前記停止状態に切りかえ、（ｉｉ）前記応答確認受信動作の期間において確認応答を受信した場合、前記応答確認受信動作を前記データ受信動作に切りかえて、前記応答確認受信動作の期間の後に連続して設けられるデータ受信動作の期間にわたって、データの受信を待ち受けさせ、
前記通信部は、前記データ受信動作を間欠動作によって実行し、
前記通信部は、前記データ送信動作の際に、間欠受信の制御内容に関する情報をデータに付随して送信することを特徴とする無線装置。
【請求項３】
前記制御部は、（ｉｉｉ）前記データ受信動作の期間においてデータを受信した場合、データを処理させ、（ｉｖ）データの処理が終了した場合、あるいは前記データ受信動作の期間が終了した場合、前記データ受信動作を停止状態に切りかえることを特徴とする請求項１または２に記載の無線装置。
【請求項４】
前記通信部は、前記応答確認受信動作の際に、間欠受信の制御内容に関する情報を応答確認に付随して受信することを特徴とする請求項１または２に記載の無線装置。
【発明の詳細な説明】
【技術分野】
【０００１】
本発明は、通信技術に関し、特にデータを送受信する無線装置に関する。
【背景技術】
【０００２】
車両用のキーレスエントリーシステムでは、携帯機が、暗証コードを含む信号を車載機へ送信すると、車載機が、受信した信号の暗証コードを照合し、照合が整合した場合にロック装置を作動させて車両ドアを施錠又は解錠する。このキーレスエントリーシステムを使用して車両ドアを施錠又は解錠した場合、正しく車両ドアが施錠又は解錠されたか否かを確認することを遠隔から確認できなかった。確認するために、携帯機は、信号の送信後に、搭載機からの確認信号を受信する（例えば、特許文献１参照）。
【先行技術文献】
【特許文献】
【０００３】
【特許文献１】特開平１０−２３１６５１号公報
【発明の概要】
【発明が解決しようとする課題】
【０００４】
キーレスエントリーシステムにおける携帯機と車載機との関係は、電気錠システム、窓開閉システムにおいても含まれる。これらにおいて、携帯機側の無線装置（以下、「第１無線装置」という）は、車載機側の無線装置（以下、「第２無線装置」という）に信号を送信し、第２無線装置は第１無線装置に確認信号を送信する。これらは、第１無線装置から第２無線装置への一方向のデータ通信を主としたシステムである。しかしながら、第２無線装置から第１無線装置への反対方向のデータ通信を割り込ませたい場合もある。
【０００５】
本発明はこうした状況に鑑みなされたものであり、その目的は、一方向のデータ通信を主としている場合において反対方向のデータ通信を割り込ませる技術を提供することにある。
【課題を解決するための手段】
【０００６】
上記課題を解決するために、本発明のある態様の無線装置は、機器の動作を指示するデータを送信するためのデータ送信動作、機器からの応答確認を受信するための応答確認受信動作、機器の状態を示すデータを受信するためのデータ受信動作を実行する通信部と、通信部に対して、データ送信動作、応答確認受信動作、データ受信動作、停止状態を切りかえさせる制御部とを備える。制御部は、データ送信動作によりデータが送信された後、データ送信動作を応答確認受信動作に切りかえて、応答確認受信動作の期間にわたって、確認応答の受信を待ち受けさせ、制御部は、（ｉ）応答確認受信動作の期間において確認応答を受信しない場合、応答確認受信動作を停止状態に切りかえ、（ｉｉ）応答確認受信動作の期間において確認応答を受信した場合、応答確認受信動作をデータ受信動作に切りかえて、応答確認受信動作の期間の後に連続して設けられるデータ受信動作の期間にわたって、データの受信を待ち受けさせ、通信部は、前記データ受信動作を間欠動作によって実行し、通信部は、前記データ送信動作の際に、間欠受信の制御内容に関する情報をデータに付随して送信する。
本発明の別の態様もまた、無線装置である。この装置は、動作を指示するデータを送信するためのデータ送信動作、機器からの応答確認を受信するための応答確認受信動作、応答メッセージを示すデータを受信するためのデータ受信動作を実行する通信部と、通信部に対して、データ送信動作、応答確認受信動作、データ受信動作、停止状態を切りかえさせる制御部とを備える。制御部は、データ送信動作によりデータが送信された後、データ送信動作を応答確認受信動作に切りかえて、応答確認受信動作の期間にわたって、確認応答の受信を待ち受けさせ、制御部は、（ｉ）応答確認受信動作の期間において確認応答を受信しない場合、応答確認受信動作を停止状態に切りかえ、（ｉｉ）応答確認受信動作の期間において確認応答を受信した場合、応答確認受信動作をデータ受信動作に切りかえて、応答確認受信動作の期間の後に連続して設けられるデータ受信動作の期間にわたって、データの受信を待ち受けさせ、通信部は、前記データ受信動作を間欠動作によって実行し、通信部は、前記データ送信動作の際に、間欠受信の制御内容に関する情報をデータに付随して送信する。
【０００８】
なお、以上の構成要素の任意の組合せ、本発明の表現を方法、装置、システム、記録媒体、コンピュータプログラムなどの間で変換したものもまた、本発明の態様として有効である。
【発明の効果】
【０００９】
本発明によれば、一方向のデータ通信を主としている場合において反対方向のデータ通信を割り込ませることができる。
【図面の簡単な説明】
【００１０】
【図１】本発明の実施例１に係る通信システムの構成を示す図である。
【図２】図１の通信システムにおける通信手順の概要を示す図である。
【図３】図３（ａ）−（ｂ）は、図１の通信システムにおいて使用される信号のフォーマットを示す図である。
【図４】図１の第１無線装置による通信手順を示すフローチャートである。
【図５】図１の第１無線装置による別の通信手順を示すフローチャートである。
【図６】図６（ａ）−（ｂ）は、本発明の実施例２に係る通信システムによる通信手順を示すシーケンス図である。
【図７】図７（ａ）−（ｂ）は、本発明の実施例２に係る通信システムによる別の通信手順を示すシーケンス図である。
【図８】図８（ａ）−（ｃ）は、本発明の実施例２に係る通信システムによるさらに別の通信手順を示すシーケンス図である。
【発明を実施するための形態】
【００１１】
（実施例１）
本発明を具体的に説明する前に、概要を述べる。本発明の実施例１は、２つの無線装置が含まれる通信システムに関する。前述のごとく、通信システムでは、第１無線装置から第２無線装置への一方向のデータ通信が主としてなされる。例えば、第１無線装置に相当する無線センサ端末やワイヤレス呼出機器などにおいて、センシング情報や呼出情報などは、低消費電力化のため単向で伝送されるが、単向のために、第１無線装置側への制御ができない。本実施例では、単向通信の低消費電力と、第１無線装置への制御を可能とする双方向通信を両立することを目的とする。
【００１２】
第１無線装置は、センシングした情報、あるいは呼出釦が押された情報（以下、「データ」ともいう）を一定周期に単向で第２無線装置に送信する。第２無線装置は、データを受信すると、応答確認（以下、「ＡＣＫ」という）を第１無線装置に送信するので、第１無線装置は、データの送信後、応答確認の受信を待ち受ける。第１無線装置は、第２無線装置からのＡＣＫの受信後、ＡＣＫ受信の待ち受け動作から、第２無線装置からのデータを受信するための動作を一定期間にわたって実行する。一定期間の間に、第２無線装置がデータを送信した場合、第１無線装置は当該データを受信する。一定期間の経過後、第１無線装置は、停止状態に移行する。
【００１３】
図１は、本発明の実施例１に係る通信システム１００の構成を示す。通信システム１００は、第１無線装置１０ａ、第２無線装置１０ｂを含む。ここで、第１無線装置１０ａ、第２無線装置１０ｂは、無線装置１０と総称される。第１無線装置１０ａは、受付部２０、通信部２２、制御部２４、処理部２６を含み、通信部２２は、送信部２８、受信部３０を含む。第２無線装置１０ｂは、通信部５０、制御部５２、ＩＦ部５４を含む。
【００１４】
第１無線装置１０ａは、指示や情報を送信する側の無線装置であり、前述の無線センサ端末やワイヤレス呼出機器に相当する。一方、第２無線装置１０ｂは、指示や情報を受信する側の無線装置であり、かつ指示や情報によって制御される装置に接続される無線装置である。制御される装置は、例えば、窓を開閉させる装置、オン／オフされる換気扇、呼び出される店員側の装置に相当する。そのため、第１無線装置１０ａと第２無線装置１０ｂとの間の無線通信であるデータ通信は、第１無線装置１０ａから第２無線装置１０ｂへの一方向に主としてなされる。
【００１５】
第１無線装置１０ａの受付部２０は、送信対象となるデータを受けつける。具体的に説明すると、受付部２０は、温度センサに接続され、温度センサにおいて測定された温度であるセンシング情報をデータとして受けつける。また、受付部２０は、呼出釦に接続され、呼出釦が押されたことによる呼出情報をデータとして受けつける。受付部２０は、受けつけたデータを通信部２２に出力する。
【００１６】
通信部２２に含まれた送信部２８は、受付部２０からのデータを受けつけ、受けつけたデータを無線信号に変換してアンテナから送信する。送信部２８は、データを無線信号に変換するために、変調機能、周波数変換機能、増幅機能を備えるが、これらについては公知の技術が使用されればよいので、ここでは説明を省略する。なお、送信部２８において実行されるデータを送信するための動作は、「データ送信動作」と呼ばれる。
【００１７】
通信部２２に含まれた受信部３０は、アンテナを介して無線信号を受信する。受信部３０は、受信した無線信号をベースバンド情報に変換して処理部２６に出力する。なお、ベースバンド情報は、ＡＣＫ、データを含む。受信部３０は、無線信号をベースバンド情報に変換するために、増幅機能、周波数変換機能、復調機能を備えるが、これらについては公知の技術が使用されればよいので、ここでは、説明を省略する。受信部３０において実行されるＡＣＫを受信するための動作は、「応答確認受信動作」と呼ばれ、データを受信するための動作は、「データ受信動作」と呼ばれる。
【００１８】
処理部２６は、受信部３０からのベースバンド情報を受けつける。ベースバンド情報がＡＣＫである場合、処理部２６は、ＡＣＫを受けつけたことを確認し、その旨を制御部２４に通知する。ベースバンド情報がデータである場合、処理部２６は、データに応じた処理を実行する。例えば、データがメッセージである場合、処理部２６は、メッセージの内容をユーザに通知したり、メッセージの内容を記憶したりする。
【００１９】
ここで、通信部２２における処理は、（１）送信部２８だけが動作し、受信部３０が停止するか、（２）受信部３０だけが動作し、送信部２８が停止するか、（３）送信部２８と受信部３０のいずれもが停止するかのいずれかである。つまり、通信部２２において、送信部２８と受信部３０のいずれもが動作することはない。（１）が前述の「データ送信動作」に対応し、（２）が前述の「応答確認受信動作」、「データ受信動作」に対応する。また、（３）は「停止状態」と呼ばれる。
【００２０】
制御部２４は、通信部２２に対して、データ送信動作、応答確認受信動作、データ受信動作を順に切りかえさせるとともに、通信部２２をデータ受信動作から停止状態に移行させる。これを具体的に説明すると、制御部２４は、通常時に通信部２２を停止状態にさせる。受付部２０がデータを受けつけると、制御部２４は、送信部２８だけを動作させる。これによって、停止状態がデータ送信動作に切りかわる。
【００２１】
前述のごとく、データ送信動作においてデータがアンテナから送信されると、制御部２４は、送信部２８を停止させ、受信部３０だけを動作させる。これによって、データ送信動作が応答確認受信動作に切りかわる。応答確認受信動作の期間は、予め一定の期間で定められており、受信部３０は、応答確認受信動作の期間にわたって、無線信号の受信を待ち受ける。その期間に、受信部３０が無線信号を受信し、無線信号にＡＣＫが含まれていることを処理部２６が確認した場合、制御部２４は、送信部２８を停止させ、受信部３０だけを動作させることを継続させる。これによって、応答確認受信動作がデータ受信動作に切りかわる。一方、応答確認受信動作の期間において、受信部３０が無線信号を受信しない場合、あるいは無線信号にＡＣＫが含まれていることを処理部２６が確認できない場合、制御部２４は、受信部３０も停止させる。これによって、応答確認受信動作が停止状態に切りかわる。この場合、前述のようなデータ送信動作からの処理が再び実行されてもよい。
【００２２】
データ受信動作の期間は、一定の期間であり、受信部３０は、データ受信動作の期間にわたって、無線信号の受信を待ち受ける。その期間に、受信部３０が無線信号を受信すると、処理部２６は、無線信号に含まれたデータを処理する。データの処理が終了するか、あるいはデータ受信動作の期間が終了すると、制御部２４は、受信部３０も停止させる。これによって、データ受信動作が停止状態に切りかわる。
【００２３】
第２無線装置１０ｂの通信部５０は、通信部２２に対応した処理を実行する。通信部５０は、受信処理を常時実行することによって、第１無線装置１０ａからの無線信号の受信を待ち受け続ける。通信部５０は、無線信号を受信すると、無線信号をデータに変換してＩＦ部５４に出力する。そのため、通信部５０には、受信部３０と同様に、増幅機能、周波数変換機能、復調機能が含まれる。制御部５２は、通信部５０における無線信号の受信、つまりデータの取得を確認すると、通信部５０にＡＣＫを生成させる。通信部５０は、生成したＡＣＫを無線信号に変換してアンテナから送信する。そのため、通信部５０には、送信部２８と同様に、変調機能、周波数変換機能、増幅機能が含まれる。なお、制御部２４は、データの取得を確認してからＡＣＫを送信するまでの期間が、第１無線装置１０ａにおける応答確認受信動作の期間よりも短くなるように処理を実行させる。
【００２４】
ＩＦ部５４は、通信部５０からのデータを受けつける。ＩＦ部５４は、窓を開閉させる装置、オン／オフされる換気扇、呼び出される店員側の装置等の装置に接続されており、当該装置にデータを出力する。当該装置は、データに応じた処理を実行する。この処理によってデータが発生した場合、ＩＦ部５４は、当該装置からのデータを受けつけ、データを通信部５０に出力する。
【００２５】
通信部５０は、ＡＣＫが含まれた無線信号を送信した後、ＩＦ部５４からのデータの受けつけた場合、受けつけたデータを無線信号に変換してアンテナから送信する。なお、制御部２４は、ＡＣＫを送信してからデータを送信するまでの期間が、第１無線装置１０ａにおけるデータ受信動作の期間に含まれるように処理を実行させる。
【００２６】
ここで、第１無線装置１０ａの受信部３０は、応答確認受信動作を連続動作によって実行するが、データ受信動作を間欠動作によって実行する。これを説明するために、図２を使用する。図２は、通信システム１００における通信手順の概要を示す図である。図２の上段には、第２無線装置１０ｂの送信動作「ＴＸ」と受信動作「ＲＸ」とが示され、下段には、第１無線装置１０ａの送信動作「ＴＸ」と受信動作「ＲＸ」とが示される。データ送信動作の期間において、第１無線装置１０ａは、第２無線装置１０ｂにデータを送信し、第２無線装置１０ｂは、第１無線装置１０ａからのデータを受信する。
【００２７】
データ送信動作の期間につづく応答確認受信動作の期間において、第２無線装置１０ｂは、第１無線装置１０ａにＡＣＫを送信し、第１無線装置１０ａは、第２無線装置１０ｂからのＡＣＫを受信する。応答確認受信動作の期間につづくデータ受信動作期間において、第１無線装置１０ａは、「データ１」、・・・、「データ５」と示された５つの区間において、第２無線装置１０ｂからのデータの受信を待ち受ける。データ受信動作期間における「データ１」、・・・、「データ５」と示された５つの区間以外の区間では、制御部２４が受信部３０も停止させる。つまり、受信部３０は、「データ１」、・・・、「データ５」と示された５つの区間で動作し、それ以外の区間で停止する間欠動作を実行する。
【００２８】
この間欠動作は、動作の回数、動作の間隔、区間の長さで特徴づけられる。動作の回数は、受信部３０が動作している区間の数であり、図２の場合は「５」である。動作の間隔は、受信部３０が動作する区間と次の区間との間隔であり、図２における「データ１」の先頭タイミングと「データ２」の先頭タイミングとの間隔に相当する。区間の長さは、１つの区間が継続する長さであり、図２における「データ１」が継続する長さに相当する。
【００２９】
動作の回数、動作の間隔、区間の長さは、第１無線装置１０ａと第２無線装置１０ｂとによって認識されている。第２無線装置１０ｂは、「データ１」から「データ５」のいずれかにおいて、第１無線装置１０ａにデータを送信し、第１無線装置１０ａは、第２無線装置１０ｂからのデータを受信する。図１に戻る。
【００３０】
動作の回数、動作の間隔、区間の長さは、間欠受信の制御内容に関する情報と総称される。これは、固定値として第１無線装置１０ａと第２無線装置１０ｂに保持されていてもよいが、第１無線装置１０ａあるいは第２無線装置１０ｂによって設定されてもよい。
【００３１】
まず、間欠受信の制御内容に関する情報が、第１無線装置１０ａによって設定される場合を説明する。第１無線装置１０ａの送信部２８は、データ送信動作の際に、間欠受信の制御内容に関する情報をデータに付随して送信する。図３（ａ）−（ｂ）は、通信システム１００において使用される信号のフォーマットを示し、特に、図３（ａ）は、送信部２８から送信される信号のフォーマットを示す。図示のごとく、データに、「回数情報」、「間隔情報」、「区間情報」が付随されている。「回数情報」は前述の動作の回数に相当し、「間隔情報」は前述の動作の間隔に相当し、「区間情報」は前述の区間の長さに相当するので、これらが、間欠受信の制御内容に関する情報である。第２無線装置１０ｂは、データととともに、「回数情報」、「間隔情報」、「区間情報」を受信すると、「回数情報」、「間隔情報」、「区間情報」をもとに、データを送信する際の間欠送信のタイミングを設定する。すなわち、制御部５２は、「回数情報」、「間隔情報」、「区間情報」をもとに、データを送信する際の間欠送信のタイミングを設定する。
【００３２】
次に、間欠受信の制御内容に関する情報が、第２無線装置１０ｂによって設定される場合を説明する。第２無線装置１０ｂの通信部５０は、間欠受信の制御内容に関する情報をＡＣＫに付随して送信する。図３（ｂ）は、通信部５０から送信される信号のフォーマットを示す。図示のごとく、ＡＣＫに、「回数情報」、「間隔情報」、「区間情報」が付随されている。第１無線装置１０ａの受信部３０は、応答確認受信動作の際に、間欠受信の制御内容に関する情報をＡＣＫに付随して受信する。制御部２４は、受信した「回数情報」、「間隔情報」、「区間情報」をもとに、データ受信動作の期間における間欠受信のタイミングを設定する。
【００３３】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ハードウエアとソフトウエアの組合せによっていろいろな形で実現できることは、当業者には理解されるところである。
【００３４】
以上の構成による通信システム１００の動作を説明する。図４は、第１無線装置１０ａによる通信手順を示すフローチャートである。送信部２８は、データを送信する（Ｓ１０）。制御部２４は、データ受信動作を設定する（Ｓ１２）。受信部３０は、ＡＣＫを受信する（Ｓ１４）。受信部３０は、受信動作を実行する（Ｓ１６）。受信部３０が、データを受信すれば（Ｓ１８のＹ）、データの処理を実行する（Ｓ２０）。受信部３０が、データを受信しない場合（Ｓ１８のＮ）、データ受信動作を継続するのであれば（Ｓ２２のＹ）、ステップ１６に戻る。データ受信動作を継続しないのであれば（Ｓ２２のＮ）、処理は終了される。
【００３５】
図５は、第１無線装置１０ａによる別の通信手順を示すフローチャートである。送信部２８は、データを送信する（Ｓ３０）。受信部３０は、ＡＣＫを受信する（Ｓ３２）。制御部２４は、データ受信動作を設定する（Ｓ３４）。受信部３０は、受信動作を実行する（Ｓ３６）。受信部３０が、データを受信すれば（Ｓ３８のＹ）、データの処理を実行する（Ｓ４０）。受信部３０が、データを受信しない場合（Ｓ３８のＮ）、データ受信動作を継続するのであれば（Ｓ４２のＹ）、ステップ３６に戻る。データ受信動作を継続しないのであれば（Ｓ４２のＮ）、処理は終了される。
【００３６】
本実施例によれば、データ送信動作、応答確認受信動作、データ受信動作を順に切りかえ、データ受信動作から停止状態に移行するので、データを送信した後に、ＡＣＫ、データを受信できる。また、データを送信した後に、ＡＣＫ、データが受信されるので、一方向のデータ通信を主としている場合において反対方向のデータ通信を割り込ませることができる。また、一方向のデータ通信を主としている場合において反対方向のデータ通信が割り込まれるので、利便性を向上できる。また、ＡＣＫにつづいて、データが受信されるので、データの送信が成功したことを確認した上でデータを受信できる。
【００３７】
また、データ送信動作、応答確認受信動作、データ受信動作を順に切りかえ、データ受信動作から停止状態に移行するので、消費電力の増加を抑制できる。また、データ受信動作を間欠動作によって実行するので、消費電力の増加を抑制できる。また、データ送信動作の際に、間欠受信の制御内容に関する情報をデータに付随して送信するので、第１無線装置において間欠受信のタイミングを決定できる。また、応答確認受信動作の際に、間欠受信の制御内容に関する情報を応答確認に付随して受信するので、第２無線装置において間欠受信のタイミングを決定できる。
【００３８】
本発明の一態様の概要は、次の通りである。本発明のある態様の無線装置１０は、データを送信するためのデータ送信動作、応答確認を受信するための応答確認受信動作、データを受信するためのデータ受信動作を実行する通信部２２と、通信部２２に対して、データ送信動作、応答確認受信動作、データ受信動作を順に切りかえさせる制御部２４とを備える。制御部２４は、通信部２２をデータ受信動作から停止状態に移行させる。
【００３９】
通信部２２は、データ受信動作を間欠動作によって実行してもよい。
【００４０】
通信部２２は、データ送信動作の際に、間欠受信の制御内容に関する情報をデータに付随して送信してもよい。
【００４１】
通信部２２は、応答確認受信動作の際に、間欠受信の制御内容に関する情報を応答確認に付随して受信してもよい。
【００４２】
本発明の別の態様は、通信システムである。この通信システムは、互いに通信する第１無線装置１０ａと第２無線装置１０ｂとを備える。第１無線装置１０ａは、データを送信するためのデータ送信動作、応答確認を受信するための応答確認受信動作、データを受信するためのデータ受信動作を実行する通信部２２と、通信部２２に対して、データ送信動作、応答確認受信動作、データ受信動作を順に切りかえさせる制御部２４とを備える。制御部２４は、通信部２２をデータ受信動作から停止状態に移行させる。
【００４３】
本発明のさらに別の態様は、通信方法である。この通信方法は、データを送信するためのデータ送信動作、応答確認を受信するための応答確認受信動作、データを受信するためのデータ受信動作を順に切りかえさせるステップと、データ受信動作から停止状態に移行させるステップとを備える。
【００４４】
（実施例２）
次に、実施例２を説明する。実施例２は、実施例１と同様に、第１無線装置から第２無線装置への一方向のデータ通信が主としてなされる通信システムに関する。実施例２では、通信システムを実際に使用する場合の具体例を説明する。具体例は、（１）電気錠、（２）窓開閉装置、（３）ワイヤレスコールである。実施例２に係る通信システム１００は、図１と同様のタイプである。ここでは、差異を中心に説明する。
【００４５】
まず、電気錠を説明する。この場合、第２無線装置１０ｂは電気錠に搭載されるので、第２無線装置１０ｂのＩＦ部５４は電気錠に接続される。また、第１無線装置１０ａは電気錠リモコンに搭載される。そのため、第１無線装置１０ａの受付部２０は、電気錠リモコンにおける「施錠釦」、「解錠釦」に接続される。電気錠リモコンにおける「施錠釦」が押し下げられた場合、受付部２０は施錠の指示を受けつけ、「解錠釦」が押し下げられた場合、受付部２０は解錠の指示を受けつける。ここで、施錠の指示あるいは解錠の指示が、データ送信動作で送信されるデータに相当する。送信部２８は、データ送信動作の際に、電気錠の施錠または解錠を指示するデータを送信する。
【００４６】
第２無線装置１０ｂの通信部５０は、電気錠の施錠または解錠を指示するデータを受信すると、ＩＦ部５４は、それを電気錠に出力する。電気錠は、施錠が指示された場合、施錠を実行し、解錠が指示された場合、解錠を実行する。電気錠は、施錠あるいは解錠の状態が示されたデータを第２無線装置１０ｂに出力する。なお、電気錠は、施錠しようとしたが施錠できない場合、異常を検出し、異常が示されたデータを第２無線装置１０ｂに出力する。施錠あるいは解錠の状態が示されたデータ、異常が示されたデータは、電気錠の状態を示すデータと総称される。ＩＦ部５４は、電気錠の状態を示すデータを電気錠から受けつけると、通信部５０は、これを送信する。
【００４７】
第１無線装置１０ａの受信部３０は、データ受信動作の際に、電気錠の状態を示すデータを受信する。処理部２６は、電気錠の状態を表示する。つまり、施錠、解錠、異常が表示される。
【００４８】
図６（ａ）−（ｂ）は、本発明の実施例２に係る通信システム１００による通信手順を示すシーケンス図である。図６（ａ）は、施錠がなされる場合を示す。第１無線装置１０ａは、人による「施錠」操作を受けつける（Ｓ６０）。第１無線装置１０ａは、第２無線装置１０ｂに「施錠」指示を送信する（Ｓ６２）。第２無線装置１０ｂは、第１無線装置１０ａにＡＣＫを送信する（Ｓ６４）。第２無線装置１０ｂは、電気錠に施錠動作をさせる（Ｓ６６）。第２無線装置１０ｂは、第１無線装置１０ａに「施錠」動作完了通知を送信する（Ｓ６８）。第１無線装置１０ａは、操作完了を表示する（Ｓ７０）。
【００４９】
図６（ｂ）は、施錠時に異常が発生した場合を示す。第１無線装置１０ａは、人による「施錠」操作を受けつける（Ｓ８０）。第１無線装置１０ａは、第２無線装置１０ｂに「施錠」指示を送信する（Ｓ８２）。第２無線装置１０ｂは、第１無線装置１０ａにＡＣＫを送信する（Ｓ８４）。第２無線装置１０ｂは、電気錠動作の異常を受けつける（Ｓ８６）。第２無線装置１０ｂは、第１無線装置１０ａに異常通知を送信する（Ｓ８８）。第１無線装置１０ａは、異常を表示する（Ｓ９０）。
【００５０】
次に、窓開閉装置を説明する。この場合、第２無線装置１０ｂは窓開閉装置に搭載されるので、第２無線装置１０ｂのＩＦ部５４は窓開閉装置に接続される。また、第１無線装置１０ａは温度センサに搭載される。そのため、第１無線装置１０ａの受付部２０は、温度センサからの温度を受けつける。受付部２０は、受けつけた温度の変化を監視しており、しきい値よりも大きな温度の変化を検出した場合、温度の上昇あるいは下降を検出する。受付部２０は、温度の上昇を検出した場合、「開」の指示を送信部２８に出力し、温度の下降を検出した場合、「閉」の指示を送信部２８に出力する。ここで、「開」の指示あるいは「閉」の指示が、データ送信動作で送信されるデータに相当し、窓の開閉を指示するデータともいえる。送信部２８は、データ送信動作の際に、窓の開閉を指示するデータを送信する。
【００５１】
第２無線装置１０ｂの通信部５０は、窓の開閉を指示するデータを受信すると、ＩＦ部５４は、それを窓開閉装置に出力する。窓開閉装置は、「開」が指示された場合、窓を開け、「閉」が指示された場合、窓を閉める。窓開閉装置は、窓の状態を示すデータを第２無線装置１０ｂに出力する。なお、窓の状態を示すデータが、窓の全開、全閉を示していてもよい。ＩＦ部５４は、窓の状態を示すデータを窓開閉装置から受けつけると、通信部５０は、これを送信する。
【００５２】
第１無線装置１０ａの受信部３０は、データ受信動作の際に、窓の状態を示すデータを受信する。処理部２６は、窓の状態を示すデータを記憶する。処理部２６は、窓が全開あるいは全閉である場合、それを把握する。そのため、窓が全閉である場合に、受付部２０は、温度の下降を検出しても、これ以上窓を閉めることができないことを認識できる。そのため、受付部２０は、「閉」の指示を送信部２８に出力しない。全開の場合も同様である。
【００５３】
図７（ａ）−（ｂ）は、本発明の実施例２に係る通信システム１００による別の通信手順を示すシーケンス図である。図７（ａ）は、窓が閉められる場合を示す。第１無線装置１０ａは、温度の下降を検出する（Ｓ１００）。第１無線装置１０ａは、第２無線装置１０ｂに「閉」指示を送信する（Ｓ１０２）。第２無線装置１０ｂは、第１無線装置１０ａにＡＣＫを送信する（Ｓ１０４）。第２無線装置１０ｂは、窓開閉装置に閉動作をさせる（Ｓ１０６）。第２無線装置１０ｂは、第１無線装置１０ａに状態通知を送信する（Ｓ１０８）。第１無線装置１０ａは、窓の状態を記憶する（Ｓ１１０）。
【００５４】
図７（ｂ）は、窓が全閉された場合を示す。第１無線装置１０ａは、温度の下降を検出する（Ｓ１２０）。第１無線装置１０ａは、第２無線装置１０ｂに「閉」指示を送信する（Ｓ１２２）。第２無線装置１０ｂは、第１無線装置１０ａにＡＣＫを送信する（Ｓ１２４）。第２無線装置１０ｂは、窓開閉装置に全閉動作をさせる（Ｓ１２６）。第２無線装置１０ｂは、第１無線装置１０ａに状態通知を送信する（Ｓ１２８）。第１無線装置１０ａは、全閉状態を記憶する（Ｓ１３０）。
【００５５】
最後に、ワイヤレスコールを説明する。この場合、第２無線装置１０ｂは親機に搭載されるので、第２無線装置１０ｂのＩＦ部５４は親機に接続される。また、第１無線装置１０ａは呼出装置に搭載される。そのため、第１無線装置１０ａの受付部２０は、呼出装置における「呼出釦」に接続される。呼出装置における「呼出釦」が押し下げられた場合、受付部２０は呼出の指示を受けつける。送信部２８は、データ送信動作の際に、呼出を指示するデータを送信する。
【００５６】
第２無線装置１０ｂの通信部５０は、呼出を指示するデータを受信すると、ＩＦ部５４は、それを親機に出力する。親機は、呼出があったことを店員に通知する。親機は、店員からの応答を受けつける。応答は、例えば、「直ぐ行きます」、「しばらくお待ち下さい」のように示される。ここで、親機は、複数の釦を備えており、各釦と前述の応答とが１対１で対応づけられている。例えば、釦「１」が押し下げられると、「直ぐ行きます」が応答として受けつけられる。また、釦「２」が押し下げられると、「しばらくお待ち下さい」が応答として受けつけられる。親機は、応答を受けつけた場合、応答メッセージを示すデータを第２無線装置１０ｂに出力する。ここで、応答メッセージを示すデータは、前述の釦の番号、つまり「１」あるいは「２」によって示されている。
【００５７】
一方、親機が、呼出を通知してから一定期間経過しても応答を受けつけない場合、「応答なし」に対応した応答メッセージを示すデータを第２無線装置１０ｂに出力する。「応答なし」に対応した応答メッセージを示すデータは、例えば、「０」によって示されている。ＩＦ部５４は、応答メッセージを示すデータを親機から受けつけると、通信部５０は、これを送信する。
【００５８】
第１無線装置１０ａの受信部３０は、データ受信動作の際に、応答メッセージを示すデータを受信する。処理部２６は、応答メッセージを示すデータを表示する。つまり、応答メッセージを示すデータが「０」である場合、「応答がありません」と表示され、応答メッセージを示すデータが「１」である場合、「直ぐ行きます」と表示され、応答メッセージを示すデータが「２」である場合、「しばらくお待ち下さい」と表示される。なお、応答メッセージを示すデータが「０」である場合、受付部２０は、前述の処理を繰返し実行してもよい。これは、再送に相当する。
【００５９】
図８（ａ）−（ｃ）は、本発明の実施例２に係る通信システム１００によるさらに別の通信手順を示すシーケンス図である。図８（ａ）は、応答がなされた場合を示す。第１無線装置１０ａは、呼出操作を受けつける（Ｓ１４０）。第１無線装置１０ａは、第２無線装置１０ｂに呼出メッセージを送信する（Ｓ１４２）。第２無線装置１０ｂは、第１無線装置１０ａにＡＣＫを送信する（Ｓ１４４）。第２無線装置１０ｂは、親機の応答操作を受けつける（Ｓ１４６）。第２無線装置１０ｂは、第１無線装置１０ａに応答メッセージを送信する（Ｓ１４８）。第１無線装置１０ａは、メッセージを表示する（Ｓ１５０）。
【００６０】
図８（ｂ）は、応答がなされなかった場合を示す。第１無線装置１０ａは、呼出操作を受けつける（Ｓ１６０）。第１無線装置１０ａは、第２無線装置１０ｂに呼出メッセージを送信する（Ｓ１６２）。第２無線装置１０ｂは、第１無線装置１０ａにＡＣＫを送信する（Ｓ１６４）。第２無線装置１０ｂは、親機の応答操作を受けつけない（Ｓ１６６）。第２無線装置１０ｂは、第１無線装置１０ａに応答なし通知を送信する（Ｓ１６８）。第１無線装置１０ａは、応答なしのメッセージを表示する（Ｓ１７０）。
【００６１】
図８（ｃ）は、応答がなされず、再送が発生する場合を示す。第１無線装置１０ａは、呼出操作を受けつける（Ｓ１８０）。第１無線装置１０ａは、第２無線装置１０ｂに呼出メッセージを送信する（Ｓ１８２）。第２無線装置１０ｂは、第１無線装置１０ａにＡＣＫを送信する（Ｓ１８４）。第２無線装置１０ｂは、親機の応答操作を受けつけない（Ｓ１８６）。第２無線装置１０ｂは、第１無線装置１０ａに応答なし通知を送信する（Ｓ１８８）。第１無線装置１０ａは、第２無線装置１０ｂに呼出メッセージを送信する（Ｓ１９０）。
【００６２】
本実施例によれば、第１の無線装置は電気錠リモコンに搭載され、第２の無線装置は電気錠に搭載されるので、人が電気錠リモコンを操作した後に電気錠の状態を確認できる。また、電気錠に異常が発生した場合でもこれを通知できる。また、第１の無線装置が温度センサに搭載され、第２の無線装置は窓開閉装置に搭載されるので、温度が上昇した場合、少し窓を開け、温度が下降した場合、少し窓を閉めることができる。また、温度センサ側で窓の開閉状態を知ることができるので、窓が全開や全閉の場合などに無駄な送信を回避できる。また、第１の無線装置は呼出装置に搭載され、第２の無線装置は親機に搭載されるので、釦を押した後、受信状態にすることで「今から行く」「ちょっと待って」等をお客さんに知らせることができる。また、応答がない場合、呼出を再送するので、利便性を向上できる。
【００６３】
本発明の一態様の概要は、次の通りである。第１無線装置１０ａは電気錠リモコンに搭載され、第２無線装置１０ｂは電気錠に搭載され、通信部２２は、データ送信動作の際に、電気錠の施錠または解錠を指示するデータを送信し、データ受信動作の際に、電気錠の状態を示すデータを受信してもよい。
【００６４】
第１無線装置１０ａは温度センサに搭載され、第２無線装置１０ｂは窓開閉装置に搭載され、通信部２２は、データ送信動作の際に、窓の開閉を指示するデータを送信し、データ受信動作の際に、窓の状態を示すデータを受信してもよい。
【００６５】
第１無線装置１０ａは呼出装置に搭載され、第２無線装置１０ｂは親機に搭載され、通信部２２は、データ送信動作の際に、呼出を指示するデータを送信し、データ受信動作の際に、応答メッセージを示すデータを受信してもよい。
【００６６】
以上、本発明を実施例をもとに説明した。この実施例は例示であり、それらの各構成要素あるいは各処理プロセスの組合せにいろいろな変形例が可能なこと、またそうした変形例も本発明の範囲にあることは当業者に理解されるところである。
【００６７】
本実施例１または２において、間欠受信の制御内容に関する情報として、「回数情報」、「間隔情報」、「区間情報」が送信されている。しかしながらこれに限らず例えば、「回数情報」、「間隔情報」、「区間情報」のうちの任意の２つ以下が、間欠受信の制御内容に関する情報として送信されてもよい。その際、送信されない情報は、固定値として、第１無線装置１０ａと第２無線装置１０ｂに記憶される。本変形例によれば、送信すべき情報量を低減できる。
【００６８】
本実施例１または２において、データ受信動作が間欠受信によって実行されている。しかしながらこれに限らず例えば、データ受信動作が連続受信によって実行されてもよい。本変形例によれば、第２無線装置１０ｂから第１無線装置１０ａへのデータ送信のためのタイミング制御を簡易にできる。
【符号の説明】
【００６９】
１０  無線装置、  ２０  受付部、  ２２  通信部、  ２４  制御部、  ２６  処理部、  ２８  送信部、  ３０  受信部、  ５０  通信部、  ５２  制御部、  ５４  ＩＦ部、  １００  通信システム。
【図１】
0006524549.tif 000002
【図２】
0006524549.tif 000003
【図３】
0006524549.tif 000004
【図４】
0006524549.tif 000005
【図５】
0006524549.tif 000006
【図６】
0006524549.tif 000007
【図７】
0006524549.tif 000008
【図８】
0006524549.tif 000009